【手続補正書】
【提出日】平成28年1月21日(2016.1.21)
【手続補正１】
【補正対象書類名】特許請求の範囲
【補正対象項目名】全文
【補正方法】変更
【補正の内容】
【特許請求の範囲】
【請求項１】
ワイヤレスシンクデバイスからワイヤレスソースデバイスにユーザデータを送信する方法であって、前記方法は、
前記ワイヤレスソースデバイスの解像度のインジケーションを、前記ワイヤレスソースデバイスから受信することと、
前記ワイヤレスシンクデバイスにおいてユーザ入力データを取得することであって、前記ユーザ入力データが、関連付けられた座標データを有する、取得することと、
前記ワイヤレスシンクデバイスにおいて、正規化座標データを生成するために、前記ワイヤレスソースデバイスの前記解像度および前記ワイヤレスシンクデバイスの解像度に基づいて、前記関連付けられた座標データを正規化することと、
データパケットヘッダおよびペイロードデータを備えるデータパケットを生成することであって、前記データパケットヘッダは、前記ペイロードデータが一般情報要素を備えることを示す入力カテゴリーフィールドを含み、前記ペイロードデータは、前記正規化座標データを備える１つまたは複数の一般情報要素を含む、生成することと、
前記ワイヤレスシンクデバイスからワイヤレスソースデバイスに前記データパケットを送信することと
を備える、方法。
【請求項２】
前記関連付けられた座標データが、前記ワイヤレスソースデバイスから受信されているコンテンツのためのディスプレイウィンドウ内にあるかどうかを決定すること
をさらに備える、請求項１に記載の方法。
【請求項３】
前記ワイヤレスソースデバイスから受信されているコンテンツのためのディスプレイウィンドウの解像度を決定すること、をさらに備える、請求項１に記載の方法。
【請求項４】
前記座標データを正規化することが、前記ディスプレイウィンドウの前記解像度と前記ソースの前記ディスプレイの前記解像度との比に基づいて、前記関連付けられた座標データをスケーリングすることを含む、請求項３に記載の方法。
【請求項５】
前記関連付けられた座標データがマウスクリックイベントのロケーションに対応する、請求項１に記載の方法。
【請求項６】
前記関連付けられた座標データがタッチイベントのロケーションに対応する、請求項１に記載の方法。
【請求項７】
ワイヤレスソースデバイスにユーザデータを送信するためのワイヤレスシンクデバイスであって、前記ワイヤレスシンクデバイスは、
命令を記憶するメモリと、
前記命令を実行するように構成された１つまたは複数のプロセッサであって、前記命令を実行すると、前記１つまたは複数のプロセッサが、
前記ワイヤレスソースデバイスの解像度のインジケーションを、前記ワイヤレスソースデバイスから受信することと、
前記ワイヤレスシンクデバイスにおいてユーザ入力データを取得することであって、前記ユーザ入力データが、関連付けられた座標データを有する、取得することと、
正規化座標データを生成するために、前記ワイヤレスソースデバイスの前記解像度および前記ワイヤレスシンクデバイスの解像度に基づいて、前記関連付けられた座標データを正規化することと、
データパケットヘッダおよびペイロードデータを備えるデータパケットを生成することであって、前記データパケットヘッダは、前記ペイロードデータが一般情報要素を備えることを示す入力カテゴリーフィールドを含み、前記ペイロードデータは、前記正規化座標データを備える１つまたは複数の一般情報要素を含む、生成することと、
を引き起こす、１つまたは複数のプロセッサと、
ワイヤレスソースデバイスに前記データパケットを送信するためのトランスポートユニットと
を備える、ワイヤレスシンクデバイス。
【請求項８】
前記命令を実行すると、前記１つまたは複数のプロセッサは、前記関連付けられた座標データが前記ワイヤレスソースデバイスから受信されているコンテンツのためのディスプレイウィンドウ内にあるかどうかを決定することをさらに引き起こす、請求項７に記載のワイヤレスシンクデバイス。
【請求項９】
前記命令を実行すると、前記１つまたは複数のプロセッサは、前記ワイヤレスソースデバイスから受信されているコンテンツのためのディスプレイウィンドウの解像度を決定することをさらに引き起こす、請求項７に記載のワイヤレスシンクデバイス。
【請求項１０】
前記座標データを正規化することが、前記ディスプレイウィンドウの前記解像度と前記ソースの前記ディスプレイの前記解像度との比に基づいて、前記関連付けられた座標データをスケーリングすることを含む、請求項９に記載のワイヤレスシンクデバイス。
【請求項１１】
前記関連付けられた座標データがマウスクリックイベントのロケーションに対応する、請求項７に記載のワイヤレスシンクデバイス。
【請求項１２】
前記関連付けられた座標データがタッチイベントのロケーションに対応する、請求項７に記載のワイヤレスシンクデバイス。
【請求項１３】
命令を記憶した非一時的コンピュータ可読記憶媒体であって、
前記命令は、１つまたは複数のプロセッサによって実行されると、
ワイヤレスソースデバイスの解像度のインジケーションを、前記ワイヤレスソースデバイスから受信することと、
ワイヤレスシンクデバイスにおいてユーザ入力データを取得することであって、前記ユーザ入力データが、関連付けられた座標データを有する、取得することと、
前記ワイヤレスシンクデバイスにおいて、正規化座標データを生成するために、前記ワイヤレスソースデバイスの前記解像度および前記ワイヤレスシンクデバイスの解像度に基づいて、前記関連付けられた座標データを正規化することと、
データパケットヘッダおよびペイロードデータを備えるデータパケットを生成することであって、前記データパケットヘッダは、前記ペイロードデータが一般情報要素を備えることを示す入力カテゴリーフィールドを含み、前記ペイロードデータは、前記正規化座標データを備える１つまたは複数の一般情報要素を含む、生成することと、
ワイヤレスソースデバイスに対して前記データパケットを取得することと
を前記１つまたは複数のプロセッサに行わせる、非一時的コンピュータ可読記憶媒体。
【請求項１４】
ワイヤレスソースデバイスにユーザデータを送信するためのワイヤレスシンクデバイスであって、前記ワイヤレスシンクデバイスは、
前記ワイヤレスソースデバイスの解像度のインジケーションを、前記ワイヤレスソースデバイスから受信するための手段と、
前記ワイヤレスシンクデバイスにおいてユーザ入力データを取得するための手段であって、前記ユーザ入力データが、関連付けられた座標データを有する、取得するための手段と、
正規化座標データを生成するために、前記ワイヤレスソースデバイスの前記解像度および前記ワイヤレスシンクデバイスの解像度に基づいて、前記関連付けられた座標データを正規化するための手段と、
データパケットヘッダおよびペイロードデータを備えるデータパケットを生成するための手段であって、前記データパケットヘッダは、前記ペイロードデータが一般情報要素を備えることを示す入力カテゴリーフィールドを含み、前記ペイロードデータは、前記正規化座標データを備える１つまたは複数の一般情報要素を含む、生成するための手段と、
ワイヤレスソースデバイスに前記データパケットを送信するための手段と
を備える、ワイヤレスシンクデバイス。
【請求項１５】
前記関連付けられた座標データが、前記ワイヤレスソースデバイスから受信されているコンテンツのためのディスプレイウィンドウ内にあるかどうかを決定するための手段
をさらに備える、請求項１４に記載のワイヤレスシンクデバイス。
【請求項１６】
前記ワイヤレスソースデバイスから受信されているコンテンツのためのディスプレイウィンドウの解像度を決定するための手段、
をさらに備える、請求項１４に記載のワイヤレスシンクデバイス。
【請求項１７】
前記座標データを正規化するための前記手段が、前記ディスプレイウィンドウの前記解像度と前記ソースの前記ディスプレイの前記解像度との比に基づいて、前記関連付けられた座標データをスケーリングするための手段を含む、請求項１６に記載のワイヤレスシンクデバイス。
【請求項１８】
前記関連付けられた座標データがマウスクリックイベントのロケーションに対応する、請求項１４に記載のワイヤレスシンクデバイス。
【請求項１９】
前記関連付けられた座標データがタッチイベントのロケーションに対応する、請求項１４に記載のワイヤレスシンクデバイス。
【請求項２０】
前記１つまたは複数のプロセッサによって実行されたときに、前記関連付けられた座標データが前記ワイヤレスソースデバイスから受信されているコンテンツのためのディスプレイウィンドウ内にあるかどうかを決定することを前記１つまたは複数のプロセッサに行わせる、さらなる命令を記憶した、請求項１３に記載の非一時的コンピュータ可読記憶媒体。
【請求項２１】
前記１つまたは複数のプロセッサによって実行されたときに、前記ワイヤレスソースデバイスから受信されているコンテンツのためのディスプレイウィンドウの解像度を決定することを前記１つまたは複数のプロセッサに行わせる、さらなる命令を記憶した、請求項１３に記載の非一時的コンピュータ可読記憶媒体。
【請求項２２】
前記座標データを正規化するために、前記１つまたは複数のプロセッサは、前記ディスプレイウィンドウの前記解像度と前記ソースの前記ディスプレイの前記解像度との比に基づいて、前記関連付けられた座標データをスケーリングする、請求項１３に記載の非一時的コンピュータ可読記憶媒体。
【請求項２３】
前記関連付けられた座標データがマウスクリックイベントのロケーションに対応する、請求項１３に記載の非一時的コンピュータ可読記憶媒体。
【請求項２４】
前記関連付けられた座標データがタッチイベントのロケーションに対応する、請求項１３に記載の非一時的コンピュータ可読記憶媒体。